(57)【要約】【課題】ラッチ対象が単純な切り欠き部であってもラッチ解除状態を保持するラッチ装置を提供する。【解決手段】前後方向に摺動移動して係止片５に係止動作するラッチ部材１、上下方向に移動可能でラッチ部材１を後退移動させる押しボタン２、ラッチ部材１を後退させたラッチ解除状態を保持させる保持部材３を有し、押しボタン２を押下操作して傾斜係合部１２ａを介してラッチ部材１を後退移動させてラッチ解除した際に、保持部材３を回動させて押しボタン２に設けた係止段部１３ａに保持部材３の係止爪部１７を係止させ、押しボタン２の上方への復帰を阻止することでラッチ部材１の突出動作を阻止させた。【選択図】　図１
2004036094.tif 000002
【特許請求の範囲】
【請求項１】
前後に摺動移動可能であって弾性部材により前方に突出付勢されて先端がラッチ対象に係止動作するラッチ部材と、
上下に移動可能であって前記ラッチ部材に設けられた傾斜面に係合する傾斜係合部を備え、下方に移動させることで前記傾斜係合部を介して前記ラッチ部材が後退移動するラッチ解除手段と、
上部に回転軸を有して下部先端部が前記ラッチ部材の後退移動に連動して移動することで回動する保持部材とを有し、
前記ラッチ解除手段を下方に移動操作することで、前記ラッチ部材が後退移動すると共に前記保持部材が回動して下降したラッチ解除手段に係止し、ラッチ解除手段の上方への復帰を阻止して後退移動したラッチ部材の前方への突出動作が阻止されてラッチ解除状態を保持することを特徴とするラッチ装置。
【請求項２】
保持部材はラッチ部材の後退移動に連動して回動した際に上方へ突出する操作端部を有し、保持部材がラッチ解除手段に係止した際に突出した前記操作端部を押込み操作することで保持部材が係止解除動作し、ラッチ解除手段への係止を解除してラッチ解除手段は上昇すると共にラッチ部材が前方へ突出動作する請求項１記載のラッチ装置。
【発明の詳細な説明】
【０００１】
【発明の属する技術分野】
本発明は、例えば電気機器収納用箱体の扉或いは側面板等を箱体フレームに簡易に取付けるために扉等に設けるラッチ装置に関し、特にラッチ解除状態を保持する機能を有するラッチ装置に関する。
【０００２】
【従来の技術】
扉や側面板等を簡易に取付けるためのラッチ装置は、扉等の取外し操作を容易にするためにラッチ解除状態を保持するものがある。このような従来のラッチ解除状態を保持するラッチ装置として特開平８−６０９２４号公報に記載された構成のものが知られている。このラッチ装置は、ラッチ対象のロック孔に挿入係止するラッチボルトを有し、このラッチボルトに略Ｌ字状のロックレバーを突出回転可能に支持させ、ロックレバーをバネで回転付勢し、ラッチボルトを解錠位置に後退摺動させたときに、ロックレバーの先端をロック孔縁部に当接させてラッチボルトの突出動作を阻止してラッチ解除状態を保持する構成となっている。
【０００３】
【発明が解決しようとする課題】
しかし、上記特開平８−６０９２４号公報記載の技術は、ラッチ解錠状態の保持をラッチ対象のロック孔縁部にロックレバー先端部を当接させて行うため、ラッチ対象はロック孔周囲にロックレバー当接面を設けなければならなかった。そのため、ラッチ対象の形状を単に壁面端部の切り欠き等の係止片とすることができず、ラッチ解錠状態を保持させるために複雑な構造にしなければならなかった。
そこで、本発明は上記問題点に鑑み、ラッチ対象が単純な係止片であってもラッチ解除状態を保持するラッチ装置を提供することを目的とする。
【０００４】
【課題を解決するための手段】
上記課題を解決するため、請求項１の発明は、前後に摺動移動可能であって弾性部材により前方に突出付勢されて先端がラッチ対象に係止動作するラッチ部材と、上下に移動可能であって前記ラッチ部材に設けられた傾斜面に係合する傾斜係合部を備え、下方に移動させることで前記傾斜係合部を介して前記ラッチ部材が後退移動するラッチ解除手段と、上部に回転軸を有して下部先端部が前記ラッチ部材の後退移動に連動して移動することで回動する保持部材とを有し、前記ラッチ解除手段を下方に移動操作することで、前記ラッチ部材が後退移動すると共に前記保持部材が回動して下降したラッチ解除手段に係止し、ラッチ解除手段の上方への復帰を阻止して後退移動したラッチ部材の前方への突出動作が阻止されてラッチ解除状態を保持することを特徴とする。
【０００５】
請求項２の発明は、請求項１の発明において、保持部材はラッチ部材の後退移動に連動して回動した際に上方へ突出する操作端部を有し、保持部材がラッチ解除手段に係止した際に突出した前記操作端部を押込み操作することで保持部材が係止解除動作し、ラッチ解除手段への係止を解除してラッチ解除手段は上昇すると共にラッチ部材が前方へ突出動作するよう構成される。
【０００６】
【発明の実施の形態】
以下、本発明を具体化した実施の形態を、図面に基づいて詳細に説明する。図１は本発明に係るラッチ装置の一例を示す側面説明図であり、（ａ）はラッチした状態、（ｂ）はラッチを解除して解除状態を保持している様子を示している。図１において、１はラッチ部材、２はラッチ解除手段としての押しボタン、３は保持部材であり、４はラッチ装置のハウジング、５はラッチ対象である係止片を示している。
【０００７】
ラッチ部材１は、ハウジング４内の底部に前後方向である図示左右方向に摺動移動可能に配置されている。そして、図示左側の先端がハウジング４の開口部４ａから突出してラッチ部７を構成し、その下部は扉等を装着対象に押込み操作した際にラッチ部材１がラッチ対象に係合して後退動作するようにテーパ部７ａが設けられている。また、ハウジング４内奥部に配置された弾性部材であるコイルバネ６がラッチ部材１の背部を押圧し、ラッチ部材１は常時前方に付勢されている。
更に、ラッチ部材１は中央に押しボタン２下部を挿入する溝８が設けられ、その溝８には前方に下り傾斜となった傾斜面８ａが形成されている。また、溝８より前方の上部には、保持部材３の下端が係合する段部９が形成されている。段部９は、ラッチ部材１が後退動作した際に、保持部材３の下端に当接して保持部材３を後方に回転動作させる。
【０００８】
押しボタン２は、上部がハウジング４上面に形成された窓４ｂから露出して、上部が作業者が押下操作する操作面１１となっている。そして、下部にはラッチ部材１の溝８に挿入される係合部１２が設けられ、係合部１２の後部にはラッチ部材１の傾斜面８ａと係合する同一傾斜形状の傾斜係合部１２ａが形成されている。また、操作面１１の前側壁部１３には押下操作した際に保持部材３の下端部と係止する係止段部１３ａが形成されている。
【０００９】
保持部材３は押しボタン２の前側に隣接して配置され、上部前端に回転軸１５を有し、ハウジング４の左右壁面に軸支され、前後方向に回転可能に組付けられている。そして、下部にはラッチ部材１に係合する係合突起１６と押しボタン２に係止する係止爪部１７が設けられている。
【００１０】
次に、上記ラッチ装置の動作を図２の動作説明図を基に説明する。図２（ａ）はラッチ対象である係止片５をラッチした状態の図で、図１（ａ）に対応している。ラッチ操作は図示上方から矢印Ａに示す方向にラッチ装置を（実際にはラッチ装置を組付けた扉等を）押圧することで、ラッチ部７下部に設けたテーパ部７ａが係合片５に当接し、その後ラッチ部材１はハウジング４内へ圧入移動する。その結果、ラッチ部材１は係止片５を乗り越えて図に示す下側に移動してラッチ状態となる。
【００１１】
図２（ｂ）〜図２（ｄ）はラッチ解除動作を順に示した図である。図２（ｂ）の矢印Ｂに示す下方に、押しボタン２を押下操作すると、押しボタン２下部の傾斜係合部１２ａがラッチ部材１の傾斜面８ａを押して、ラッチ部材１がコイルバネ６の伸長力に抗して矢印Ｃに示す後方へ摺動して後退移動する。そして、途中で段部９が保持部材３の係合突起１６に当接する。
更に、押下操作を続けると図２（ｃ）に示すように、ラッチ部材１は更に後退移動して当接した保持部材３を回動させる。図２（ｄ）は押下操作を終了した状態を示し、この状態でラッチ部材１はハウジング４内に入り込み、係止片５へのラッチ動作は完全に解除される。そして、保持部材３はラッチ部材１の移動により更に回動して、その下端部の係止爪部１７が押しボタン２の前側壁部１３に当接する。
【００１２】
図２（ｅ）は押しボタン２の押下操作後の押下操作を止めた状態を示し、図１（ｂ）に対応するラッチ解除状態を保持している状態を示している。最深部まで押しボタンを押下した図２（ｄ）の状態の後、押しボタン２の押下操作を止めると、コイルバネ６によるラッチ部材１の前方への突出力で押しボタン２は上方へ復帰移動しようとする。しかし、前側壁部１３に当接した係止爪部１７が、押しボタン２の前側壁部１３の下端に形成した係止段部１３ａに係止して押しボタン２の復帰を阻止する。その結果、ラッチ部材１は突出動作できずラッチ解除状態が保持される。
【００１３】
そして、この時、保持部材３が回動したことで、保持部材３の上部後端を鋭角に形成して設けた操作端部１９が上方に突出する。ラッチ解除状態の保持を解きたい場合はこの突出した操作端部１９を押下操作すればよい。押下することで、保持部材３は軸支部１５を中心に下部が前方へ回動して係止爪部１７の係止段部１３ａへの係止が解除される。その結果、押しボタン２は上方へ復帰移動すると共にラッチ部材１は前方へ突出する。こうして図２（ａ）の状態へ戻る。
【００１４】
このように、保持部材３がラッチ解除手段である押しボタン２に係止してラッチ解除状態を保持するので、ラッチ対象の形状に拘わらずラッチ解除状態を保持できる。従って、ラッチ対象は突出したラッチ部材に係止する係止片を有していれば良く、単純な切り欠きであってもラッチするし、ラッチ解除状態を保持できる。また、操作端部を押下操作即ち回動操作すればラッチ解除状態の保持を止めてラッチ部材は突出動作するので、簡易な操作でラッチ部材は復帰動作する。
尚、上記実施の形態は弾性部材としてコイルバネを使用しているが、他の弾性部材でも良く、例えば板バネを使用することもできる。
【００１５】
【発明の効果】
以上詳述したように、請求項１の発明によれば、保持部材がラッチ解除手段に係止してラッチ解除状態を保持するので、ラッチ対象の形状に拘わらずラッチ解除状態を保持できる。従って、ラッチ対象は突出したラッチ部材に係止する係止片を有していれば良く、単純な切り欠きであってもラッチ動作し、ラッチ解除状態を保持できる。
請求項２の発明によれば、請求項１の効果に加えて、操作端部を回動操作すればラッチ解除状態の保持を解いてラッチ部材は突出動作するので、簡易な操作でラッチ部材は復帰動作する。
【図面の簡単な説明】
【図１】本発明に係るラッチ装置の実施形態の一例を示し、（ａ）はラッチした状態の側面説明図、（ｂ）はラッチ解除状態を保持している様子を示す側面説明図である。
【図２】図１のラッチ装置の動作説明図であり、（ａ）はラッチ状態、（ｂ）はラッチ解除ボタンの押下操作を開始した状態、（ｃ）はラッチ解除ボタンの押下操作を進めた状態、（ｄ）はラッチ解除ボタンを完全に押下してラッチを解除した状態、（ｅ）はラッチ解除状態を保持している状態を示している。
【符号の説明】
１・・ラッチ部材、２・・ラッチ解除手段としての押しボタン、３・・保持部材、６・・弾性部材であるコイルバネ、７・・ラッチ部、８・・溝、８ａ・・傾斜面、９・・段部、１１・・操作面、１２・・係合部、１２ａ・・傾斜係合部、１３ａ・・係止段部、１６・・係合突起、１７・・係止爪部、１９・・操作端部。
【図１】
2004036094.tif 000003
【図２】
2004036094.tif 000004